(57)【要約】【課題】外光の影響を受けて記録・再生が停止せず、テープ端を検出できずにテープ切れを起こすことがない磁気記録再生装置及びテープ端検出方法を提供する。【解決手段】出力記憶手段１０１、１０２に記憶された出力と基準値記憶手段１０４、１０６に記憶された基準値とを比較し、所定の第１の条件を満たすか否かを判断する第１の判断手段１０３、１０５と、所定の第１の条件を満たすと判断した場合に、算出手段１０７によって算出された磁気テープの残量時間又は磁気テープ２の使用時間と基準値記憶手段１０９に記憶された基準値とを比較し、所定の第２の条件を満たす場合にテープ端であると判断する第２の判断手段１０８とを備える。【選択図】        図１
2004288278.tif 000002
【特許請求の範囲】
【請求項１】
発光素子から発光される光を、テープカセットに収納された始端及び終端に光透過性のリーダテープ部を有する磁気テープを介して受光する受光素子の出力を検出する検出手段と、
前記検出手段によって検出された出力を記憶する出力記憶手段と、
テープ端であるか否かの判断の基準となる基準値を記憶する基準値記憶手段と、
前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを、
備えた前記磁気テープに信号を記録又は前記磁気テープに記録された信号を再生する磁気記録再生装置において、
前記出力記憶手段に記憶された出力と前記基準値記憶手段に記憶された基準値とを比較し、所定の第１の条件を満たすか否かを判断する第１の判断手段と、
前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断する第２の判断手段とを、
備えることを特徴とする磁気記録再生装置。
【請求項２】
発光素子から発光される光を、テープカセットに収納された始端及び終端に光透過性のリーダテープ部を有する磁気テープを介して受光する受光素子の出力を検出する検出手段と、
前記検出手段によって検出された出力を記憶する出力記憶手段と、
テープ端であるか否かの判断の基準となる基準値を記憶する基準値記憶手段と、
前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを、
備えた前記磁気テープに信号を記録又は前記磁気テープに記録された信号を再生する磁気記録再生装置が実行するテープ端検出方法において、
前記出力記憶手段に記憶された出力と前記基準値記憶手段に記憶された基準値とを比較し、所定の第１の条件を満たすか否かを判断するステップと、
前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断するステップとを、
実行することを特徴とするテープ端検出方法。
【発明の詳細な説明】
【０００１】
【発明の属する技術分野】
本発明は、テープカセットのテープ端を検出する磁気記録再生装置及びテープ端検出方法に関する。
【０００２】
【従来の技術】
磁気テープ（以下、テープという）を収納したテープカセットを用いて映像信号や音声信号を記録再生する従来の磁気記録再生装置は、センサを用いてテープの始端及び終端（以下、テープ端という）を検出していた。ここで、従来の磁気記録再生装置における一般的な光学式センサによるテープ端の検出について図３から図５を参照して説明する。図３は従来の磁気記録再生装置の一部を示す模式図である。図４は従来の磁気記録再生装置における受光素子の受光量に対する出力電圧を変換するための回路図である。図５は従来の磁気記録再生装置におけるテープ端の検出の動作を説明するためのフローチャートである。まず、テープ端の検出の概要について図３を参照して説明する。図３に示すように、テープ２を収納したテープカセット１が磁気記録再生装置に装着されると、テープカセット１の前面蓋３は不図示の蓋開閉部材によって開放される。供給リール４に巻回されたテープ２は、テープカセット１の外部へ引き出され、不図示の巻取りリールの方向へ走行する。磁気記録再生装置は、テープカセット１の供給リール４と不図示の巻取りリールとの間の前面蓋３の近傍に発光素子６を収納するための円形の凹部５を形成している。凹部５を形成する壁の一部には、発光素子６からの光７を外部へ導くための孔が形成されている。また、磁気記録再生装置内のテープカセット１の外部には、発光素子６からの光７を受光する受光素子８が設けられている。
【０００３】
上記テープ２のテープ端は、磁性体が塗布されていない透明のリーダテープ部となっている。そのため、発光素子６と受光素子８とを結ぶ光路上にテープ２のリーダテープ部（図３ではテープ２の終端）が位置する場合には、発光素子６から出射した光７はリーダテープ部を透過して、十分な光量が受光素子８へ到達する。一方、光路上にテープ２のリーダテープ部が位置しない（テープ端ではない）場合には、大部分の光７はテープ２に遮られて十分な光量が受光素子８へ到達しない。磁気記録再生装置は、受光素子８が受光する受光量に基づいてテープ端を検出する。不図示の巻取りリール側（テープ２の始端）も同様の方法により検出する。
【０００４】
上記テープ端の検出について図４を参照してより詳細に説明する。図４に示すように、受光素子８にはフォトトランジスタ８１が用いられており、フォトトランジスタ８１のコレクタは抵抗Ｒの一端に接続されている。抵抗Ｒの他端には電源電圧Ｖｃｃが供給されている。テープ２が始端又は終端にない場合には、テープ２が光７を遮るためフォトトランジスタ８１には光７がほとんどあたらず、ほとんど電流が流れない。電流が流れないため抵抗Ｒによる電圧降下が起きず、コレクタからの出力電圧は高い。一方、テープ２が始端又は終端にある場合には、テープ２が光７を遮らないためフォトトランジスタ８１には光７があたりフォトトランジスタ８１に電流が流れる。電流が流れることによって、抵抗Ｒによる電圧降下が起き、コレクタからの出力電圧は低くなる。フォトトランジスタ８１の出力電圧はＡ／Ｄ変換器１０によってディジタル信号へ変換され、出力値として出力される。ＣＰＵ９は、Ａ／Ｄ変換器１０から出力された出力値と不図示の記憶領域に記憶された所定のしきい値とを比較する。ＣＰＵ９はＡ／Ｄ変換器１０から出力された出力値が所定のしきい値以下の場合に、テープ２の始端又は終端であると判断する。
【０００５】
次に、上記従来の磁気記録再生装置におけるテープ端の検出の動作について図５を参照して説明する。図５に示すように、ＶＴＲ（以下、ＶＴＲは磁気記録再生装置をいう）は、不図示のＶＴＲのセンサによってテープカセット１が装着されているか否かを検知する（Ｓ５１）。ＶＴＲはテープカセット１の装着を検知すると、テープカセット１が装着された状態で、ＬＥＤ（発光素子６）を点灯し（Ｓ５２）、ＬＥＤを点灯した状態でフォトトランジスタ８１の出力電圧を測定し、測定した出力電圧の変換後の出力値を所定の記憶領域に記憶１として記憶する（Ｓ５３）。次に、ＶＴＲは上記記憶１と所定の記憶領域に記憶された所定のしきい値とを比較する（Ｓ５４）。ＶＴＲは、記憶１が所定のしきい値よりも小さい場合に、テープ２がテープ端にあると判断し（Ｓ５５）、記憶１が所定のしきい値よりも大きい場合に、テープ２がテープ端ではなくテープの途中にあると判断する（Ｓ５６）。なお、上記Ｓ５５において、便宜上白検出となっているが実際のテープ２の始端又は終端は白ではなく透明である。また、Ｓ５６において、便宜上黒検出となっているが実際のテープ２の途中は全くの黒というわけではない。以上によりテープ端の検出は終了する。
【０００６】
なお、上記のようなテープ端の検出の技術を基礎とする磁気記録再生装置に設けられた磁気テープ端検出装置が下記の特許文献１に記載されている。
【０００７】
【特許文献１】
特開平１０−２４７３４７号公報（段落０００６）
【０００８】
【発明が解決しようとする課題】
しかし、上記従来の磁気記録再生装置におけるテープ端の検出において、受光素子が発光素子からの光以外の外部の光（以下、外光という）を受光すると、磁気記録再生装置は間違えてテープ端と判断して記録・再生を停止し、また逆にテープ端を検出できずにテープ終端にもかかわらずテープを送ろうとしてテープ切れを起こすという誤動作を引き起こすことがあった。上記外光は、図６に示すカメラ一体型ＶＴＲ装置においては、テープカセット１を肉眼で確認できるように外装部材６１に設けた透明のカセット確認窓６２から入射する。このように入射する外光を遮断するためにさまざまな対応がとられてきた。フロントローディング方式のカセット装着装置を採用したＶＴＲではカセット挿入口にフラップを設けている。しかし、隙間を完全になくすことはできず外光を十分遮断できない。また、受光素子の近傍への遮光部材の設置や、受光素子の検出領域である赤外領域の遮光のためのカセット確認窓６２への着色が行われている。しかし、特にカメラ一体型ＶＴＲ装置においては屋外で使用されることが多く、夏場の強い直射日光の下で使用した場合には外光を十分遮断できない。したがって、外光の影響を受け、上述したような、磁気記録再生装置が間違えてテープ端と判断して記録・再生を停止してしまうという問題やテープ端を検出できずにテープ終端にもかかわらずテープを送ろうとしてテープ切れを起こすという問題が生じる。
【０００９】
本発明は、上記問題を解決するものであり、外光の影響を受けて記録・再生が停止せず、テープ端を検出できずにテープ切れを起こすことがない磁気記録再生装置及びテープ端検出方法を提供することを目的とする。
【００１０】
【課題を解決するための手段】
上記目的を達成するために、本発明は、出力記憶手段に記憶された出力と基準値記憶手段に記憶された基準値とを比較し、所定の第１の条件を満たすか否かを判断する第１の判断手段と、所定の第１の条件を満たすと判断した場合に、算出手段によって算出された磁気テープの残量時間又は磁気テープの使用時間と基準値記憶手段に記憶された基準値とを比較し、所定の第２の条件を満たす場合にテープ端であると判断する第２の判断手段とを備える。すなわち、発光素子から発光される光を、テープカセットに収納された始端及び終端に光透過性のリーダテープ部を有する磁気テープを介して受光する受光素子の出力を検出する検出手段と、前記検出手段によって検出された出力を記憶する出力記憶手段と、テープ端であるか否かの判断の基準となる基準値を記憶する基準値記憶手段と、前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを備えた前記磁気テープに信号を記録又は前記磁気テープに記録された信号を再生する磁気記録再生装置において、前記出力記憶手段に記憶された出力と前記基準値記憶手段に記憶された基準値とを比較し、所定の第１の条件を満たすか否かを判断する第１の判断手段と、前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断する第２の判断手段とを備える磁気記録再生装置が提供される。
【００１１】
また、本発明によれば、発光素子から発光される光を、テープカセットに収納された始端及び終端に光透過性のリーダテープ部を有する磁気テープを介して受光する受光素子の出力を検出する検出手段と、前記検出手段によって検出された出力を記憶する出力記憶手段と、テープ端であるか否かの判断の基準となる基準値を記憶する基準値記憶手段と、前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを備えた前記磁気テープに信号を記録又は前記磁気テープに記録された信号を再生する磁気記録再生装置が実行するテープ端検出方法において、前記出力記憶手段に記憶された出力と前記基準値記憶手段に記憶された基準値とを比較し、所定の第１の条件を満たすか否かを判断するステップと、前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断するステップとを実行するテープ端検出方法が提供される。
【００１２】
【発明の実施の形態】
以下、本発明の実施の形態について図１及び図２を参照して説明する。図１は本発明の実施の形態における磁気記録再生装置の構成図である。図２は本発明の実施の形態における磁気記録再生装置のテープ端の検出の動作を説明するためのフローチャートである。
【００１３】
まず、磁気記録再生装置の構成について図１を参照して説明する。磁気記録再生装置は、受光素子の受光量に基づく出力を検出する出力検出部１１１、テープ端検出部１１２とテープ時間検出部１１３と終端判別部１１０とを含むＣＰＵ１３、記録領域部１１４、供給リール４、キャプスタン１１、巻取りリール１２から構成されている。
【００１４】
出力検出部１１１は、光７を発光する発光素子６と、光７を受光するフォトトランジスタ８１と、フォトトランジスタ８１の受光量に基づく出力電圧をディジタル変換し出力するＡ／Ｄ変換器１０と、抵抗Ｒと、電源電圧Ｖｃｃとから構成されている。本発明の実施の形態では、フォトトランジスタ８１を用いているが、同様の機能を発揮することができるものと代替しても実施可能である。上記出力検出部１１１において、外光による影響が無く不図示のテープが始端又は終端にない場合、発光素子６の点灯・消灯にかかわらずフォトトランジスタ８１に光７があたらず電流がほとんど流れないため、抵抗Ｒで電圧降下が起きず、出力電圧は高くなる。一方、外光による影響が無く不図示のテープが始端又は終端にある場合、発光素子６が点灯するとフォトトランジスタ８１に光７があたり電流が流れるため抵抗Ｒで電圧降下が起き、出力電圧は低くなる。しかし、発光素子６が消灯するとフォトトランジスタ８１に光７があたらず電流が流れないため、抵抗Ｒで電圧降下が起きず、出力電圧は高くなる。ここで、上記のように外光による影響が無いとした場合でなく、外光による影響があるとした場合には、発光素子６の点灯・消灯にかかわらずフォトトランジスタ８１に外光があたるため電流が流れ、抵抗Ｒで電圧降下が起き、出力電圧は低くなる。Ａ／Ｄ変換器１０は、出力電圧をディジタル変換した出力を記録領域部１１４に入力する。
【００１５】
記憶領域部１１４は、第１の記憶部１０１、第２の記憶部１０２、第１のしきい値記憶部１０４、第２のしきい値記憶部１０６、所定の時間のしきい値記憶部１０９から構成されている。記憶領域部１１４は、例えばＨＤＤ、ＲＯＭ、ＲＡＭに該当する。第１の記憶部１０１及び第２の記憶部１０２は、Ａ／Ｄ変換器１０によってディジタル変換された出力を出力値として記憶する。第１のしきい値記憶部１０４及び第２のしきい値記憶部１０６は、第１の記憶部１０１及び第２の記憶部１０２に記憶された出力値が所定の条件を満たすか否かを判断する際の基準となる第１のしきい値及び第２のしきい値をそれぞれ記憶する。上記しきい値は受光素子の違いなどに依存する値である。所定の時間のしきい値記憶部１０９は、後述するテープ時間演算部１０７によって算出されたテープ残量時間又はテープ使用時間が所定の条件を満たすか否かを判断する際の基準となる所定の時間のしきい値を記憶する。
【００１６】
テープ端検出部１１２は、第１の比較部１０３及び第２の比較部１０５から構成されている。第１の比較部１０３は、第１の記憶部１０１及び第２の記憶部１０２に記憶された出力値と第１のしきい値記憶部１０４に記憶された第１のしきい値とを比較する。第２の比較部１０５は、第１の記憶部１０１及び第２の記憶部１０２に記憶された出力値と第２のしきい値記憶部１０６に記憶された第２のしきい値とを比較する。
【００１７】
終端判別部１１０は、第１の比較部１０３、第２の比較部１０５、後述するテープ時間比較部１０８によって比較され、比較の結果得られた、テープ端であるか又はテープ途中であるかの情報を磁気記録再生装置を制御する不図示のシステム制御部へ伝達する。
【００１８】
テープ時間検出部１１３は、テープ時間演算部１０７及びテープ時間比較部１０８から構成されている。テープ時間演算部１０７はテープ残量時間又はテープ使用時間を算出する。この算出に必要な情報は、後述する供給リール４、キャプスタン１１、巻取りリール１２から取得する。テープ時間比較部１０８は、不図示のテープが正方向（順方向）に進んでいる場合にはテープ残量時間と上述した所定の時間のしきい値とを比較し、不図示のテープが負方向（逆方向）に進んでいる場合にはテープ使用時間と所定の時間のしきい値とを比較し、いずれの場合も所定の時間のしきい値以下の場合にテープ端にあると判断する。なお、上述した方法による判断以外に、テープ時間比較部１０８は、不図示のテープが正方向（順方向）に進んでいる場合にはテープ使用時間と上記所定の時間のしきい値ではない別の所定のしきい値とを比較し、不図示のテープが負方向（逆方向）に進んでいる場合にはテープ残量時間と上記所定の時間のしきい値ではない上記別の所定のしきい値とを比較し、いずれの場合も上記所定の時間のしきい値ではない上記別の所定のしきい値以上の場合にテープ端であると判断することも可能である。
【００１９】
供給リール４は供給リールの回転角速度の情報などを、キャプスタン１１はテープ走行速度の情報などを、巻取りリール１２は巻取りリールの回転角速度の情報などを上述したテープ時間演算部１０７へ引き渡す。これにより、テープ時間演算部１０７は、テープ残量時間及びテープ使用時間を算出することができる。
【００２０】
次に、本発明の実施の形態における磁気記録再生装置のテープ端の検出の動作について図２を参照して説明する。まず、不図示のテープ認知部は、不図示のＶＴＲのセンサによって不図示のテープカセットが装着されているか否かを検知する（Ｓ２０１）。ＶＴＲは不図示のテープカセットの装着を検知すると、不図示のテープカセットが装着された状態で、ＬＥＤ（発光素子６）を消灯したまま、フォトトランジスタ８１の出力電圧を測定し、測定した出力電圧の変換後の出力値を第１の記憶部１０１に記憶１として記憶する（Ｓ２０２）。次に、ＶＴＲは、ＬＥＤ（発光素子６）を点灯し（Ｓ２０３）、ＬＥＤ（発光素子６）を点灯した状態でフォトトランジスタ８１の出力電圧を測定し、測定した出力電圧の変換後の出力値を第２の記憶部１０２に記憶２として記憶する（Ｓ２０４）。第１の比較部１０３は記憶１と記憶２との差分と、第１のしきい値記憶部１０４に記憶された第１のしきい値とを比較する（Ｓ２０５）。第１の比較部１０３は、記憶１と記憶２との差分が第１のしきい値よりも大きい場合、テープ端にあると判断する（Ｓ２０８）。なお、Ｓ２０８において、便宜上白検出となっているが実際のテープの始端又は終端は白ではなく透明である。記憶１と記憶２との差分が第１のしきい値よりも小さい場合、第２の比較部１０５は、記憶１及び記憶２を第２のしきい値記憶部１０６に記憶された第２のしきい値とそれぞれ比較する（Ｓ２０６）。第２の比較部１０５は、記憶１と記憶２との差分が第１のしきい値よりも小さく、記憶１及び記憶２が共に第２のしきい値よりも大きい場合、テープ途中にあると判断する（Ｓ２０９）。なお、Ｓ２０９において、便宜上黒検出となっているが実際のテープ２の途中は全くの黒というわけではない。第２の比較部１０５は、記憶１と記憶２との差分が第１のしきい値よりも小さく、記憶１及び記憶２が共に第２のしきい値よりも小さい場合、外光の影響があると判断する。
【００２１】
ここで、上記Ｓ２０８及びＳ２０９において、テープ端であるかテープ途中であるかの具体的判断方法について以下に説明する。まず、あらかじめ設定される上記第１のしきい値を値４とし、第２のしきい値を値２と仮定する。これらの値は、経験に基づきテープ端の検出をすることができる値を用いる。この仮定のもとで、装着されているテープカセットのテープがテープ端にある場合を考える。この場合、Ｓ２０２においては、ＬＥＤ（発光素子６）が消灯しているためフォトトランジスタ８１は受光せず、テープ端にあったとしてもフォトトランジスタ８１には電流が流れず、出力電圧は高くなる。このときの出力電圧の変換後の記憶１は、例えば８となる。ここで以下、出力電圧の変換後の値のとり得る範囲を便宜上０から１０とする。また、Ｓ２０４においては、ＬＥＤ（発光素子６）が点灯しているためフォトトランジスタ８１は受光し、テープ端にあるためフォトトランジスタ８１には電流が流れ、出力電圧は低くなる。このときの出力電圧の変換後の記憶２は、例えば０となる。Ｓ２０５において、上記記憶１と記憶２との差分は８であり、第１のしきい値４よりも大きいため、Ｓ２０８においてテープ端であると判断される。
【００２２】
一方、上記第１のしきい値を値４とし、第２のしきい値を値２とする仮定のもとで、装着されているテープカセットのテープがテープ端になくテープ途中にある場合を考える。この場合、Ｓ２０２においては、ＬＥＤ（発光素子６）が消灯しているためフォトトランジスタ８１は受光せず、フォトトランジスタ８１には電流が流れず、出力電圧は高くなる。このときの出力電圧の変換後の記憶１は、例えば８となる。また、Ｓ２０４においては、ＬＥＤ（発光素子６）が点灯しているがテープ途中にあるためテープによって光をほとんど遮られ、フォトトランジスタ８１は受光せず、フォトトランジスタ８１にはほとんど電流が流れず、出力電圧は高くなる。このときの出力電圧の変換後の記憶２は、例えば７となる。Ｓ２０５において、上記記憶１と記憶２との差分は１であり、第１のしきい値４よりも小さいため、Ｓ２０６へ進み、Ｓ２０６において、上記記憶１及び記憶２が共に第２のしきい値２より大きいため、Ｓ２０９においてテープ途中であると判断される。
【００２３】
さらに、上記第１のしきい値を値４とし、第２のしきい値を値２とする仮定のもとで、装着されているテープカセットのテープに外光の影響がある場合を考える。この場合、Ｓ２０２においてはＬＥＤ（発光素子６）が消灯しているが、外光による影響のため、テープ端やテープ途中という状態に関係なく同程度の外光をフォトトランジスタ８１は受光し、フォトトランジスタ８１には電流が流れ、出力電圧は低くなる。このときの出力電圧の変換後の記憶１は、例えば０となる。また、Ｓ２０４においてはＬＥＤ（発光素子６）が点灯しているが、ＬＥＤ（発光素子６）の点灯の影響を受けないほど外光による影響が大きいため、テープ端やテープ途中という状態に関係なく同程度の外光をフォトトランジスタ８１は受光し、フォトトランジスタ８１には電流が流れ、出力電圧は低くなる。このときの出力電圧の変換後の記憶２は、例えば０となる。Ｓ２０５において、上記記憶１と記憶２との差分は０であり、第１のしきい値４よりも小さいため、Ｓ２０６へ進み、Ｓ２０６において、上記記憶１及び記憶２が共に第２のしきい値２より小さいため、Ｓ２０７へ進みテープ残量時間又はテープ使用時間と上記所定の時間のしきい値とを比較し、テープ端にあるか否かを判断される。
【００２４】
上記外光の影響があると判断した場合の説明に戻り、外光の影響があると判断した場合、テープ端の検出はテープ端検出部１１２では行わず、上述したテープ時間検出部１１３によって行う。まず、テープ時間演算部１０７は、下記の式（１）及び式（２）によりテープ残量時間Ｔ１又はテープ使用時間Ｔ２を算出する。テープ時間演算部１０７は、不図示のテープの走行方向（正方向又は負方向）に応じてテープ残量時間Ｔ１又はテープ使用時間Ｔ２を算出する。
【００２５】
【数１】
2004288278.tif 000003
【００２６】
【数２】
2004288278.tif 000004
【００２７】
ここで、ω１は供給リール回転角速度、ω２は巻取りリール回転角速度、ｖはテープ走行速度、Ｒはリールハブ半径、Ｔ０は全テープ時間である。上記式（１）及び式（２）を用いてテープ残量時間Ｔ１及びテープ使用時間Ｔ２を算出する方法が特開昭５５−６４６７５号公報に示されている。テープ残量時間Ｔ１及びテープ使用時間Ｔ２を算出するための上記情報は、供給リール４、キャプスタン１１、巻取りリール１２のそれぞれのＦＧパルスから得られる。このＦＧパルスは、磁気記録再生装置に設けられている供給リール４及び巻取りリール１２に添付した反射板を検出するフォトリフレクタやキャプスタンモータの界磁の回転を検出する回路パターンによって得られる。
【００２８】
図２において、テープ時間比較部１０８は、上記式（１）及び式（２）により算出されたテープ残量時間Ｔ１又はテープ使用時間Ｔ２と、所定の時間のしきい値記憶部１０９に記憶された所定の時間のしきい値とを比較する（Ｓ２０７）。ここで、テープが正方向（順方向）に進んでいる場合に、テープ時間比較部１０８はテープ残量時間Ｔ１と所定の時間のしきい値とを比較する。テープが負方向（逆方向）に進んでいる場合に、テープ時間比較部１０８はテープ使用時間Ｔ２と所定の時間のしきい値とを比較する。比較した結果、テープ時間比較部１０８は、いずれの場合も所定の時間のしきい値より小さい場合にテープ端と判断し（Ｓ２１１）、いずれの場合も所定の時間のしきい値より大きい場合にテープ途中と判断する（Ｓ２１０）。
【００２９】
以上のように動作するので、外光の影響を受けて記録・再生が停止せず、テープ端を検出できずにテープ切れを起こすことがない。しかし、上記のようなテープ端検出であっても検出に失敗し、テープの切断やＶＴＲ故障を生じる場合がある。そこで、テープ端検出に失敗しないように、所定の時間のしきい値はテープ厚のばらつきやテープ時間検出部１１３の誤差を見込んで安全を確保できる値として、例えば標準偏差の３倍などに設定すると上記検出の失敗が軽減されるため好適である。
【００３０】
また、記録・再生でなく早送りや巻戻しなどの他のモードでは、テープが高速で動くために残量検出の精度が悪くなり、誤検出をしてテープ切れなど重大な損害が生じる場合がある。したがって、所定の時間のしきい値をＶＴＲの動作モードに対応した値に変えることは好適である。
【００３１】
なお、本発明は上述した実施の形態に限定されることはなく、本発明の要旨を逸脱しない範囲において変更可能である。
【００３２】
【発明の効果】
以上説明したように、本発明によれば、発光素子から発光される光を、テープカセットに収納された始端及び終端に光透過性のリーダテープ部を有する磁気テープを介して受光する受光素子の出力を検出する検出手段と、前記検出手段によって検出された出力を記憶する出力記憶手段と、テープ端であるか否かの判断の基準となる基準値を記憶する基準値記憶手段と、前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを備えた前記磁気テープに信号を記録又は前記磁気テープに記録された信号を再生する磁気記録再生装置において、前記出力記憶手段に記憶された出力と前記基準値記憶手段に記憶された基準値とを比較し、所定の第１の条件を満たすか否かを判断する第１の判断手段と、前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断する第２の判断手段とを備えるので、外光の影響を受けて記録・再生が停止し、テープ端を検出できずにテープ切れを起こすことを回避することができる。
【００３３】
また、本発明によれば、発光素子から発光される光を、テープカセットに収納された始端及び終端に光透過性のリーダテープ部を有する磁気テープを介して受光する受光素子の出力を検出する検出手段と、前記検出手段によって検出された出力を記憶する出力記憶手段と、テープ端であるか否かの判断の基準となる基準値を記憶する基準値記憶手段と、前記テープカセットの供給側リールの回転情報と前記テープカセットの巻取り側リールの回転情報とに基づいて前記テープカセットの前記磁気テープの残量時間又は前記磁気テープの使用時間の少なくとも一方を算出する算出手段とを備えた前記磁気テープに信号を記録又は前記磁気テープに記録された信号を再生する磁気記録再生装置が実行するテープ端検出方法において、前記出力記憶手段に記憶された出力と前記基準値記憶手段に記憶された基準値とを比較し、所定の第１の条件を満たすか否かを判断するステップと、前記所定の第１の条件を満たすと判断した場合に、前記算出手段によって算出された前記磁気テープの残量時間又は前記磁気テープの使用時間と前記基準値記憶手段に記憶された基準値とを比較し、所定の第２の条件を満たす場合に前記テープ端であると判断するステップとを実行するので、外光の影響を受けて記録・再生が停止し、テープ端を検出できずにテープ切れを起こすことを回避することができる。
【図面の簡単な説明】
【図１】本発明の実施の形態における磁気記録再生装置の構成図である。
【図２】本発明の実施の形態における磁気記録再生装置のテープ端の検出の動作を説明するためのフローチャートである。
【図３】従来の磁気記録再生装置の一部を示す模式図である。
【図４】従来の磁気記録再生装置における受光素子の受光量に対する出力電圧を変換するための回路図である。
【図５】従来の磁気記録再生装置におけるテープ端の検出の動作を説明するためのフローチャートである。
【図６】カメラ一体型ＶＴＲ装置の外観図である。
【符号の説明】
１  テープカセット
２  テープ（磁気テープ）
３  前面蓋
４  供給リール
５  凹部
６  発光素子（ＬＥＤ）
７  光
８  受光素子
９  ＣＰＵ
１０  Ａ／Ｄ変換器（検出手段）
１１  キャプスタン
１２  巻取りリール
１３  ＣＰＵ
６１  外装部材
６２  カセット確認窓
８１  フォトトランジスタ
１０１  第１の記憶部（出力記憶手段）
１０２  第２の記憶部（出力記憶手段）
１０３  第１の比較部（第１の判断手段）
１０４  第１のしきい値記憶部（基準値記憶手段）
１０５  第２の比較部（第１の判断手段）
１０６  第２のしきい値記憶部（基準値記憶手段）
１０７  テープ時間演算部（算出手段）
１０８  テープ時間比較部（第２の判断手段）
１０９  所定の時間のしきい値記憶部（基準値記憶手段）
１１０  終端判別部
１１１  出力検出部
１１２  テープ端検出部
１１３  テープ時間検出部
１１４  記憶領域部
【図１】
2004288278.tif 000005
【図２】
2004288278.tif 000006
【図３】
2004288278.tif 000007
【図４】
2004288278.tif 000008
【図５】
2004288278.tif 000009
【図６】
2004288278.tif 000010